(57)【要約】  本発明の一の実施の形態に係る光ディスクは、情報トラックに情報を記録する記録層を少なくとも３層備える。記録層は、内周側に位置する内周側領域と、内周側領域に対して外周側に位置し、コンテンツ情報を記録するデータ領域と、データ領域に対して外周側に位置する外周側領域とを備える。コンテンツ情報は、３層以上の記録層のデータ領域に記録され、内周に向けて再生中の上層のコンテンツ情報からその一つ下層のコンテンツ情報に再生が切り替わる上層のポイント及び下層のポイントが、データ領域の最内周位置よりも外側に設定されている。
2015129912.tif 000002
【特許請求の範囲】
【請求項１】
内周側及び外周側の一方から他方に渦巻き状に形成された情報トラックに情報を記録する記録層を少なくとも３層備え、
前記記録層は、
内周側に位置する内周側領域と、
前記内周側領域に対して外周側に位置し、コンテンツ情報を記録するデータ領域と、
前記データ領域に対して外周側に位置する外周側領域と
を備え、
前記コンテンツ情報は、前記３層以上の記録層の前記データ領域に記録され、内周に向けて再生中の上層のコンテンツ情報からその一つ下層のコンテンツ情報に再生が切り替わる上層のポイント及び下層のポイントが、前記データ領域の最内周位置よりも外側に設定されている
ことを特徴とする光ディスク。
【請求項２】
外周に向けて再生中の上層のコンテンツ情報がその一つ下層のコンテンツ情報に再生が切り替わる上層のポイント及び下層のポイントが、所定の位置よりも内側に設定されている
ことを特徴とする請求項１記載の光ディスク。
【請求項３】
前記再生が切り替わる上層のポイント及び下層のポイントの前記光ディスクの中心からの距離は略一致する
ことを特徴とする請求項１又は２記載の光ディスク。
【請求項４】
前記下層のコンテンツ情報は、前記上層のコンテンツ情報とは逆向きに再生されるように前記記録層に記録されている
ことを特徴とする請求項１〜３のいずれか１項記載の光ディスク。
【請求項５】
前記下層のコンテンツ情報は、前記上層のコンテンツ情報と同一の向きに再生されるように前記記録層に記録され、
前記下層のコンテンツ情報は、前記上層のコンテンツ情報からランダムに読み出されて再生される
ことを特徴とする請求項１〜３のいずれか１項記載の光ディスク。
【請求項６】
前記記録層は、前記コンテンツ情報が記録されていない領域に絵柄が表示されている
ことを特徴とする請求項１〜５のいずれか１項記載の光ディスク。
【請求項７】
内周側及び外周側の一方から他方に渦巻き状に形成された情報トラックに情報を記録する記録層をｎ（３≦ｎ）層備え、
前記記録層は、
内周側に位置する内周側領域と、
前記内周側領域に対して外周側に位置し、コンテンツ情報を記録するデータ領域と、
前記データ領域に対して外周側に位置する外周側領域と
を備え、
情報再生用の光源から最も離れた層からｋ（１≦ｋ≦ｎ−１）層目の前記記録層に記録された前記コンテンツ情報の情報量は、ｋ＋１層目の前記記録層に記録された前記コンテンツ情報の情報量よりも多い
ことを特徴とする光ディスク。
【発明の詳細な説明】
【技術分野】
【０００１】
本発明は、複数の記録層を有する光ディスクに関する。
【背景技術】
【０００２】
ＣＤやＤＶＤ等の光ディスクの高密度化が進んでいる。近年、青紫色レーザの開発により、ＤＶＤよりも更に記録密度を高めたＢＤ（Blu-ray(登録商標）Disc)が実現された。
このようなＢＤに複数の記録層を設けることにより、光ディスクの更なる大容量化を行う事が可能である（特許文献１）。
【先行技術文献】
【特許文献】
【０００３】
【特許文献１】特開２００９−１２３２６４号公報
【発明の概要】
【発明が解決しようとする課題】
【０００４】
光ディスクを多層化する場合、記憶容量の大容量化に伴い、１枚の光ディスクに大量のデータを記録することが可能となる。ここで、当該データの読み出しは、ピックアップから光ディスク上の所定位置にレーザを照射して行うものであり、データのレイアウトによってはアクセス性を損ない、情報を円滑に読み出して再生出来ないことがある。本発明はこのような課題に鑑みなされたものであり、情報を円滑に読み出して再生することが可能な光ディスクを提供することを目的とする。
【課題を解決するための手段】
【０００５】
本発明の一の実施の形態に係る光ディスクは、内周側及び外周側の一方から他方に渦巻き状に形成された情報トラックに情報を記録する記録層を少なくとも３層備える。前記記録層は、内周側に位置する内周側領域と、前記内周側領域に対して外周側に位置し、コンテンツ情報を記録するデータ領域と、前記データ領域に対して外周側に位置する外周側領域とを備える。前記コンテンツ情報は、前記３層以上の記録層の前記データ領域に記録され、内周に向けて再生中の上層のコンテンツ情報からその一つ下層のコンテンツ情報に再生が切り替わる上層のポイント及び下層のポイントが、前記データ領域の最内周位置よりも外側に設定されている。【０００６】
本実施の形態に係る光ディスクにおいては、上記上層のポイント及び下層のポイントの位置を自由に設定可能であり、コンテンツ情報中の切り替えに適した部分を切り替えのポイントとして選択し、情報を円滑に読み出して再生することが可能である。【０００７】
また、光ディスクは、製造工程中に反り等を生じることがあるため、内周側に記録されたデータを、より信頼性良く保持することが可能である。ここで、本実施の形態に係る光ディスクにおいては、内周に向けて再生中の上層のコンテンツ情報からその一つ下層のコンテンツ情報に再生が切り替わる上層のポイント及び下層のポイントが、前記データ領域の最内周位置よりも外側に設定されている。従って、例えばコンテンツ情報の他に優先的に信頼性良く保持したい特定の情報がある場合等に、この特定の情報を光ディスクの中心付近に保持することが可能である。【０００８】
上記一の実施の形態において、外周に向けて再生中の上層のコンテンツ情報がその一つ下層のコンテンツ情報に再生が切り替わる上層のポイント及び下層のポイントが、所定の位置よりも内側に設定されていても良い。このような実施の形態に係る光ディスクによれ
ば、上述の通り、例えばコンテンツ情報中の切り替えに適した部分を切り替えのポイントとして選択し、情報を円滑に読み出して再生することが可能である。また、コンテンツ情報が全て光ディスク１の中心から所定の範囲内に保持される為、コンテンツ情報全体を信頼性良く保持することが可能である。【０００９】
また、上記一の実施の形態において、前記再生が切り替わる上層のポイント及び下層のポイントの前記光ディスクの中心からの距離は、一致しても良い。このような実施の形態に係る光ディスクからは、ピックアップを移動させることなく情報を読み出すことが可能であり、情報を更に円滑に読み出して再生することが可能である。【００１０】
前記下層のコンテンツ情報は、前記上層のコンテンツ情報とは逆向きに再生される様に前記記録層に記録されていても良い。【００１１】
また、前記下層のコンテンツ情報は、前記上層のコンテンツ情報と同一の向きに再生される様に前記記録層に記録されていても良く、この場合には、前記下層のコンテンツ情報は、前記上層のコンテンツ情報からランダムに読み出されて再生されても良い。このような光ディスクは情報を円滑に読み出して再生することが可能であるため、例えば高速な検索システムを実現可能である。【００１２】
また、前記記録層の前記コンテンツ情報が記録されていない領域には、例えば絵柄を表示しても良い。【００１３】
本発明の別の実施の形態に係る光ディスクは、内周側及び外周側の一方から他方に渦巻き状に形成された情報トラックに情報を記録する記録層をｎ（３≦ｎ）層備える。前記記録層は、内周側に位置する内周側領域と、前記内周側領域に対して外周側に位置し、コンテンツ情報を記録するデータ領域と、前記データ領域に対して外周側に位置する外周側領域とを備える。また、情報再生用の光源から最も離れた層からｋ（１≦ｋ≦ｎ−１）層目の前記記録層に記録された前記コンテンツ情報の情報量は、ｋ＋１層目の前記記録層に記録された前記コンテンツ情報の情報量よりも多い。
【発明の効果】
【００１４】
本発明によれば、情報を円滑に読み出して再生することが可能な光ディスクを提供することが可能となる。
【図面の簡単な説明】
【００１５】
【図１】本発明の第１の実施の形態に係る光ディスク１の一例を示す概略的な斜視図である。
【図２】Ａ−Ａ′断面における記録層Ｌ０の記録情報のレイアウトを示す図である。
【図３】Ａ−Ａ′断面における記録層Ｌ１の記録情報のレイアウトを示す図である。
【図４】Ａ−Ａ′断面における記録層Ｌ２の記録情報のレイアウトを示す図である。
【図５】第１の比較例に係る光ディスクの、コンテンツ情報の記録方法及び再生方法を説明するための概略的な断面図である。
【図６】第２の比較例に係る光ディスクの、コンテンツ情報の記録方法及び再生方法を説明するための概略的な断面図である。
【図７】本発明の第１の実施の形態に係る光ディスクの、コンテンツ情報の記録方法及び再生方法を説明するための概略的な断面図である。
【図８】本発明の第２の実施の形態に係る光ディスクの、コンテンツ情報の記録方法及び再生方法を説明するための概略的な断面図である。
【図９】本発明の第３の実施の形態に係る光ディスクの、コンテンツ情報の記録方法及び再生方法を説明するための概略的な断面図である。
【図１０】本発明の第４の実施の形態に係る光ディスクの、コンテンツ情報の記録方法及び再生方法を説明するための概略的な断面図である。
【図１１】本発明の第５の実施の形態に係る光ディスクの、コンテンツ情報の記録方法及び再生方法を説明するための概略的な断面図である。
【発明を実施するための形態】
【００１６】
［本発明の第１の実施の形態に係る光ディスクの概略構成］
図１は、本発明の第１の実施の形態に係る光ディスク１の一例を示す概略的な斜視図である。本実施の形態に係る光ディスク１は３層の記録層Ｌ０〜Ｌ２を積層してなる積層型のブルーレイディスクＲＯＭ又は記録型ディスクである。記録層Ｌ０〜Ｌ２の記録面には、内周側の所定の領域に位置する内周側領域１０と、内周側領域１０に対して外周側に位置し、コンテンツ情報を記録するデータ領域２０と、データ領域２０に対して外周側に位置する外周側領域３０とが設けられる。
【００１７】
本実施の形態に係る光ディスク１の記録層Ｌ０及びＬ２には、内周側から外周側にかけて情報トラックが形成される。また、記録層Ｌ１には外周側から内周側にかけて情報トラックが形成される。尚、記録層Ｌ０〜Ｌ２に形成される情報トラックは、全て同一の回転方向に沿って渦巻き状に形成される。従って、光ディスク１は、どの記録層について再生を行う場合にも常に同一の方向に回転する。
【００１８】
記録又は再生のための光は、図１における光ディスク１の下面側から照射され、光源から最も遠い記録層がＬ０、最も近い記録層がＬ２となっている。光源の焦点位置を上下に移動させることで記録層Ｌ０〜Ｌ２の情報が記録又は再生される。
【００１９】
図２は、記録層Ｌ０のＡ−Ａ′断面における記録情報のレイアウトを示す図である。本実施の形態において、内周側領域（Inner Zone）ＩＺ（１０）は、ＢＣＡ（Burst Cutting Area）を有する。ＢＣＡは、光ディスク１に関する種々の情報を記録する領域で、光ディスク製造原盤に記録され、または光ディスクの製造後にレーザによって外部より形成される。
【００２０】
また、内周側領域ＩＺは、リードイン領域としても利用され、第１の保護領域（Protection Zone）ＰｒＺ１と、ＰＩＣ領域（Permanent Information & Control Zone）ＰＩＣと、第２の保護領域ＰｒＺ２と、情報／予約領域（INFO/Reserved）Ｉ／Ｒを有する。
【００２１】
光ディスク１が記録型メディアである場合、第１の保護領域ＰｒＺ１及び第２の保護領域ＰｒＺ２は、それぞれＢＣＡ及びＰＩＣ領域ＰＩＣへのデータの書き込み量が所定以上となった場合に、ＰＩＣ領域ＰＩＣや情報／予約領域Ｉ／Ｒにデータの上書きが行われることを防止する。
【００２２】
一方、光ディスク１がＲＯＭ型メディアである場合、第１の保護領域ＰｒＺ１は、ＢＣＡのレーザー書き込みがＰＩＣ領域に影響することを防止する。また、第２の保護領域ＰｒＺ２は、後述するｗｉｄｅ  ｐｉｔｃｈ領域とｎｏｒｍａｌ  ｐｉｔｃｈ領域の間に設けられ、情報トラック上におけるピッチ間隔の切り替えによる信号乱れが読み取りドライブの動作に影響することを防止する。
【００２３】
ＰＩＣ領域ＰＩＣは、コンテンツ情報のアドレスや光ディスク１の再生パラメータ等、光ディスク１に関する種々の情報を記録する。同様に、情報／予約領域Ｉ／Ｒも、光ディスク１に関する種々の情報を記録する。
【００２４】
本実施の形態において、データ領域（Data Zone）ＤＺ（２０）は、２４．０から、最大で５８．０ｍｍの領域に設けられ、例えば映画や音楽、プログラム等のコンテンツ情報を記録する。
【００２５】
本実施の形態において、外周側領域（Outer Zone）ＯＺ（３０）は、データ領域ＤＺの外周側の領域である。
【００２６】
図３は、記録層Ｌ１のＡ−Ａ′断面における記録情報のレイアウトを示す図である。本実施の形態に係る光ディスク１が３層の記録層を有するＲＯＭ型メディアである場合、記録層Ｌ１には、ＢＣＡ、リードイン領域及びリードアウト領域（図４）は設けられていない。
【００２７】
図４は、記録層Ｌ２のＡ−Ａ′断面における記録情報のレイアウトを示す図である。本実施の形態に係る光ディスク１が３層の記録層を有するＲＯＭ型メディアである場合、記録層Ｌ２には、ＢＣＡ及びリードイン領域が設けられていない。また、記録層Ｌ２の外周側領域ＯＺはリードアウト領域としても利用される。
【００２８】
尚、本実施の形態に係る光ディスク１においては、リードイン領域を記録層Ｌ０にのみ設け、リードアウト領域を記録層Ｌ２にのみ設けていた。しかしながら、例えば記録層Ｌ０、Ｌ１及びＬ２全てにリードイン領域及びリードアウト領域を設けることも可能である。
【００２９】
［比較例に係るコンテンツ情報の記録方法］
次に、本実施の形態に係るコンテンツ情報の記録方法について、比較例に係る方法と比較しつつ説明する。図５は、第１の比較例に係る光ディスクの、コンテンツ情報の記録方法及び再生方法を説明するための概略的な断面図である。第１の比較例においては、コンテンツ情報の内容に拘らず、コンテンツ情報が、記録層Ｌ０及びＬ１のデータ領域ＤＺの全域と、記録層Ｌ２のデータ領域ＤＺの最内周から外周側の途中の位置までの領域とに記録されている。
【００３０】
光ディスクからデータを読み出す場合、ピックアップから光ディスク上の所定位置にレーザを照射して行うため、データのレイアウトによってはアクセス性を損ない、情報を円滑に読み出して再生できないことがある。例えば、コンテンツ情報が動画である場合、動きの多いシーンでは再生に必要なデータのビットレートが大きい。従って、コンテンツ情報の内容に拘らずコンテンツ情報を規定のレイアウトによって記録してしまうと、このようなタイミングでフォーカシングが行われ、読み出しの速度が落ちて、動画が円滑に再生されない場合がある。
【００３１】
また、光ディスクは、製造工程中において、反り等を生じる場合があるため、内周側に記録されたデータを、より信頼性良く保持することが可能である。従って、例えばコンテンツ情報の他に優先的に信頼性良く保持したい特定の情報がある場合、この特定の情報は、光ディスクの中心付近に記録することが望ましい。
【００３２】
図６は、第２の比較例に係る光ディスクの、コンテンツ情報の記録方法及び再生方法を説明するための概略的な断面図である。第２の比較例においては、コンテンツ情報の内容に拘らず、コンテンツ情報が、記録層Ｌ０のデータ領域ＤＺの全域と、記録層Ｌ１のデータ領域ＤＺの最外周から内周側の途中の位置までの領域と、記録層Ｌ２のデータ領域ＤＺの最内周から外周側の途中の位置までの領域とに記録されている。
【００３３】
第２の比較例に係る光ディスクにおいても、コンテンツ情報の内容に拘らずコンテンツ情報が規定のレイアウトによって記録されている。また、第２の比較例に係る光ディスクにおいては、上記特定の情報を記録層Ｌ１のデータ領域ＤＺの最内周から内周側の途中の位置までの領域に記録することが可能であり、この特定の情報を信頼性良く保持することが可能である。しかしながら、第２の比較例においては、記録層Ｌ１に記録されたコンテンツ情報の記録終了位置と記録層Ｌ２に記録されたコンテンツ情報の記録開始位置とが離れている。従って、記録層Ｌ１からコンテンツ情報を読み出した後にピックアップを移動させる必要が生じるが、コンテンツ再生に支障のない任意位置を選んで他の層に移動させる手段の選択肢を広げることができる。
【００３４】
［本実施の形態に係るコンテンツ情報の記録方法］
次に、本実施の形態に係るコンテンツ情報の記録方法について説明する。図７は、本実施の形態に係る光ディスク１の、コンテンツ情報の記録方法及び再生方法を説明するための概略的な断面図である。本実施の形態においては、コンテンツ情報の一部が、記録層Ｌ０のデータ領域ＤＺの全域に、内周側から外周側にかけて記録されている。また、この一部の続きの情報が、記録層Ｌ１のデータ領域ＤＺの最外周から内周側の途中の位置ａ１までの領域に、外周側から内周側にかけて記録されている。更に、この情報の更に続きの情報が、記録層Ｌ２のデータ領域ＤＺの上記位置ａ１から外周側の途中の位置までの領域に、内周側から外周側にかけて記録されている。尚、記録層Ｌ１におけるコンテンツ情報の記録終了位置と記録層Ｌ２におけるコンテンツ情報の記録開始位置との光ディスク１の中心からの距離は完全に一致している必要は無く、略一致していれば良い。
【００３５】
本実施の形態において、記録層Ｌ１におけるコンテンツ情報の記録終了位置と、記録層Ｌ２におけるコンテンツ情報の記録開始位置には、切り替えに適した部分が採用される。この切り替えに適した部分としては、例えば動画における比較的画像の変化が少ない場面や、音楽における比較的音の少ない部分等、コンテンツ情報中のビットレートが少ない部分を採用することで有効利用できる。
【００３６】
ここで、記録層Ｌ１におけるコンテンツ情報の記録終了位置と、記録層Ｌ２におけるコンテンツ情報の記録開始位置の、水平面内における位置（回転方向における位置）は、略一致している必要は無く、例えば所定の空白の領域を設けることも可能である。この空白の長さは、例えばフォーカシングに要する時間や、この時間内に光ディスク１が回転する角度等を考慮して決定することも可能である。また、この空白の領域には、フォーカシングを行うためのダミーのデータを記録しておくことも可能である。
【００３７】
尚、本実施の形態に係るコンテンツ情報の記録方法を採用した場合、図７に示す通り、記録層Ｌｋ（ｋ＝０及び１）に記録されたコンテンツ情報の情報量が、記録層Ｌｋ＋１に記録されたコンテンツ情報の情報量よりも多くなる。また、記録層Ｌｋ中のコンテンツ情報が記録された領域は、記録層Ｌｋ＋１中のコンテンツ情報が記録された領域を全て包含する。
【００３８】
また、本実施の形態においては、ＰＩＣ領域に、コンテンツ情報の各記録層Ｌ０〜Ｌ２における記録開始位置や終了位置等が記録されている。
【００３９】
本実施の形態においては、内周に向けて再生中の上層のコンテンツ情報からその一つ下層のコンテンツ情報に再生が切り替わる上層のポイント及び下層のポイントが、前記データ領域の最内周位置よりも外側に設定されている。即ち、本実施の形態に係る光ディスクにおいては、上記上層のポイント及び下層のポイントの位置を自由に設定可能であり、コンテンツ情報中の切り替えに適した部分を切り替えのポイントとして選択し、情報を円滑に読み出して再生することが可能である。
【００４０】
また、記録層Ｌ１及びＬ２の、データ領域ＤＺの最内周から外周側の途中の位置ａ１までの領域にコンテンツ情報が記録されていない為、この領域に上記特定の情報を記録することが可能である。更に、記録層Ｌ１におけるコンテンツ情報の記録終了位置と記録層Ｌ２におけるコンテンツ情報の記録開始位置との光ディスク１の中心からの距離が略一致している。従って、記録層Ｌ１からコンテンツ情報を読み出した後に、ピックアップを移動させることなく迅速に記録層Ｌ２からコンテンツ情報を読み出すことが可能である。
【００４１】
尚、上記位置ａ１は、データ領域ＤＺ中に存在する。従って、位置ａ１の光ディスク１の中心からの距離は、本実施形態においては２４．０〜５８．０ｍｍとなる。また、位置ａ１は、例えば、コンテンツ情報中の切り替えに適した部分に応じて決定することも考えられるし、上記特定の情報の大きさに応じて決定することも考えられる。
【００４２】
［本発明の第２の実施の形態に係るコンテンツ情報の記録方法］
次に、本発明の第２の実施の形態に係るコンテンツ情報の記録方法について説明する。図８は、本実施の形態に係る光ディスクの、コンテンツ情報の記録方法及び再生方法を説明するための概略的な断面図である。
【００４３】
本実施の形態に係るコンテンツ情報の記録方法は、基本的には第１の実施の形態に係るコンテンツ情報の記録方法と同様であるが、本実施の形態においては、コンテンツ情報が、記録層Ｌ０のデータ領域ＤＺの最内周から位置ａ２（ａ２＜５８．０ｍｍ）までの領域と、記録層Ｌ１及びＬ２のデータ領域ＤＺの位置ａ１から位置ａ２までの領域とに記録されている。但し、記録層Ｌ０及びＬ２におけるコンテンツ情報の記録終了位置、並びに、記録層Ｌ１におけるコンテンツ情報の記録開始位置の光ディスク１の中心からの距離は完全に一致している必要は無く、略一致していれば良い。
【００４４】
尚、位置ａ２は、例えばコンテンツ情報中の切り替えに適した部分、並びに、コンテンツ情報及び上記特定の情報の大きさに応じて決定することも可能である。
【００４５】
また、本実施の形態においては、記録層Ｌ１におけるコンテンツ情報の記録終了位置と、記録層Ｌ２におけるコンテンツ情報の記録開始位置だけでなく、記録層Ｌ０におけるコンテンツ情報の記録終了位置と、記録層Ｌ１におけるコンテンツ情報の記録開始位置にも、コンテンツ情報中の切り替えに適した部分が採用される。
【００４６】
本実施の形態に係る光ディスクにおいては、外周に向けて再生中の上層のコンテンツ情報がその一つ下層のコンテンツ情報に再生が切り替わる上層のポイント及び下層のポイントが、５８．０ｍｍよりも内側に設定されている。従って、第１の実施の形態と同様に、コンテンツ情報中の切り替えに適した部分を切り替えのポイントとして選択し、情報を円滑に読み出して再生することが可能である。
【００４７】
また、本実施の形態に係る光ディスクにおいては、コンテンツ情報が全て光ディスク１の中心から所定の範囲内に保持される為、コンテンツ情報全体を信頼性良く保持することが可能である。更に、記録層Ｌ０におけるデータの記録終了位置及び記録層Ｌ１におけるデータの記録開始位置、並びに、記録層Ｌ１におけるデータの記録終了位置及び記録層Ｌ２におけるデータの記録開始位置が略一致しているため、迅速な読み出しを行うことが可能である。
【００４８】
［本発明の第３の実施の形態に係るコンテンツ情報の記録方法］
次に、本発明の第３の実施の形態に係るコンテンツ情報の記録方法について説明する。図９は、本実施の形態に係る光ディスクの、コンテンツ情報の記録方法及び再生方法を説明するための概略的な断面図である。
【００４９】
本実施の形態に係るコンテンツ情報の記録方法は、基本的には第２の実施の形態に係るコンテンツ情報の記録方法と同様であるが、本実施の形態においては、記録層Ｌ０及びＬ１におけるコンテンツ情報の記録終了位置と、記録層Ｌ１及びＬ２におけるコンテンツ情報の記録開始位置との光ディスクの中心からの距離を、略一致させていない。このような態様においても第１及び第２の実施の形態と同様に、情報を円滑に再生することが可能である。また、本実施の形態においても記録層Ｌ０、Ｌ１及びＬ２において、コンテンツ情報はすべてデータ領域ＤＺの最内周から上記位置ａ２までの領域に保持されており、コンテンツ情報全体を信頼性良く保持することが可能である。
【００５０】
［本発明の第４の実施の形態に係るコンテンツ情報の記録方法］
次に、本発明の第４の実施の形態に係るコンテンツ情報の記録方法について説明する。図１０は、本実施の形態に係る光ディスクの、コンテンツ情報の記録方法及び再生方法を説明するための概略的な断面図である。
【００５１】
本実施の形態に係る光ディスクは、３層の記録層Ｌ０〜Ｌ２を積層してなる積層型のブルーレイディスクであり、下層の記録層に記録されたコンテンツ情報は、上層の記録層に記録されたコンテンツ情報からランダムに読み出されて再生される。記録層Ｌ０〜Ｌ２の記録面には、第１の実施の形態と同様に、内周側領域１０、データ領域２０及び外周側領域３０が設けられる。尚、内周側領域１０及び外周側領域３０のデータ構造等については、説明を省略する。
【００５２】
本実施の形態に係る光ディスクの記録層Ｌ０〜Ｌ２には、内周側から外周側にかけて情報トラックが形成される。また、これら情報トラックは、全て同一の回転方向に沿って渦巻き状に形成される。従って、本実施の形態に係る光ディスクは、どの記録層について再生を行う場合にも常に同一の方向に回転する。尚、情報トラックが形成される方向は、適宜変更可能であり、例えば記録層Ｌ０〜Ｌ２における情報トラックを、全て外周側から内周側に向かう方向に形成しても良い。
【００５３】
記録又は再生のための光は、図１０における光ディスクの下面側から照射され、光源から最も遠い記録層がＬ０、最も近い記録層がＬ２となっている。光源の焦点位置を上下に移動させることで記録層Ｌ０〜Ｌ２の情報が記録又は再生される。
【００５４】
記録層Ｌ０のデータ領域２０にはコンテンツ情報としてリンク情報を含む情報が記録されている。また、記録層Ｌ１及びＬ２のデータ領域２０には、このリンク情報のリンク先の情報が記録されている。更に、記録層Ｌ０におけるリンク情報の記録終了位置と記録層Ｌ１及びＬ２におけるリンク先の情報の記録開始位置との光ディスクの中心からの距離は、略一致している。
【００５５】
また、本実施の形態に係る光ディスクにおいては、図１０に示す通り、記録層Ｌｋ（ｋ＝０及び１）に記録されたコンテンツ情報の情報量が、記録層Ｌｋ＋１に記録されたコンテンツ情報の情報量よりも多い。また、記録層Ｌｋ中のコンテンツ情報が記録された領域は、記録層Ｌｋ＋１中のコンテンツ情報が記録された領域を全て包含する。
【００５６】
本実施の形態に係る光ディスクを用いた場合、記録層Ｌ０に記録されたリンク情報を読み出した後に、外部操作等の条件に応じて、記録層Ｌ０に記録された情報の続き又は記録層Ｌ１又はＬ２に記録されたリンク先の情報を迅速に読み出すことが可能である。従って、例えばこのような光ディスクをナビゲーションシステムやデータベース等に適用した場合、ピックアップの動きを抑えて迅速に所望のデータにアクセスすることが可能となり、高速な検索システムを実現可能である。
【００５７】
［本発明の第５の実施の形態に係るコンテンツ情報の記録方法］
次に、本発明の第５の実施の形態に係るコンテンツ情報の記録方法について説明する。図１１は、本実施の形態に係る光ディスクの、コンテンツ情報の記録方法及び再生方法を説明するための概略的な断面図である。
【００５８】
本実施の形態に係る光ディスクは、３層の記録層Ｌ０〜Ｌ２を積層してなる積層型のブルーレイディスクである。記録層Ｌ０〜Ｌ２の記録面には、第１の実施の形態と同様に、内周側領域１０、データ領域２０及び外周側領域３０が設けられる。尚、内周側領域１０及び外周側領域３０のデータ構造等については、説明を省略する。
【００５９】
本実施の形態に係る光ディスクは、いわゆるＯＴＰタイプやＰＴＰタイプの光ディスクとは異なり、記録層Ｌ０における情報トラックが、内周側から外周側に向かう方向に形成され、記録層Ｌ１及びＬ２における情報トラックが、外周側から内周側に向かう方向に形成される。また、これらの情報トラックは、全て同一の回転方向に沿って渦巻き状に形成される。従って、本実施の形態に係る光ディスクは、どの記録層について再生を行う場合にも常に同一の方向に回転する。
【００６０】
記録又は再生のための光は、図１１における光ディスクの下面側から照射され、光源から最も遠い記録層がＬ０、最も近い記録層がＬ２となっている。光源の焦点位置を上下に移動させることで記録層Ｌ０〜Ｌ２の情報が記録又は再生される。
【００６１】
記録層Ｌ０のデータ領域２０には、情報トラックに沿ってコンテンツ情報が記録され、記録層Ｌ１のデータ領域２０には、更にこの続きのコンテンツ情報が記録される。また、本実施の形態においては、記録層Ｌ０におけるコンテンツ情報の記録終了位置と、記録層Ｌ１におけるコンテンツ情報の記録開始位置としては、コンテンツ情報中の切り替えに適した部分が採用される。更に、記録層Ｌ１のデータ領域２０に記録されたコンテンツ情報がリンク情報を含み、記録層Ｌ２のデータ領域２０には、このリンク情報のリンク先の情報が記録されている。また、記録層Ｌ１におけるリンク情報の記録終了位置と記録層Ｌ２におけるリンク先の情報の記録開始位置との光ディスクの中心からの距離は、略一致している。
【００６２】
尚、本実施の形態に係るコンテンツ情報の記録方法を採用した場合、図１１に示す通り、記録層Ｌｋ（ｋ＝０及び１）に記録されたコンテンツ情報の情報量が、記録層Ｌｋ＋１に記録されたコンテンツ情報の情報量よりも多くなる。また、記録層Ｌｋ中のコンテンツ情報が記録された領域は、記録層Ｌｋ＋１中のコンテンツ情報が記録された領域を全て包含する。
【００６３】
本実施の形態に係る光ディスクを用いた場合、記録層Ｌ１のデータ領域２０に記録された情報の読み出しを行いつつ、外部操作等の条件に応じて記録層Ｌ２のデータ領域２０に記録されたリンク先の情報を迅速に読み出すことが可能である。従って例えば、このような光ディスクを映画等の記録に用いた場合、操作に応じて映画のシーンにまつわる注釈等を表示することも可能である。
【００６４】
［その他の実施の形態に係る光ディスク］
上記実施の形態に係る光ディスクは、いずれも記録層を３層有していたが、記録層を４層以上有する光ディスクにおいては、更に記憶容量が増大する。従って、本発明は、４層以上の記録層を有する光ディスクにも適用可能である。
【００６５】
また、例えば光ディスクにｎ（３≦ｎ）層の記録層を設けた場合、情報再生用の光源から最も離れた層からｋ（１≦ｋ≦ｎ−１）層目の記録層に記録されたコンテンツ情報の情報量が、ｋ＋１層目の記録層に記録されたコンテンツ情報の情報量よりも多くなるように調整する事も可能である。
【００６６】
また、上記第５の実施の形態に係る光ディスクは、記録層Ｌ１に記録されたコンテンツ情報を読み出しつつ記録層Ｌ２に記録されたコンテンツ情報にアクセス可能に構成されていた。しかしながら、例えば記録層Ｌ０に記録されたコンテンツ情報を読み出しつつ記録層Ｌ１又はＬ２に記録されたコンテンツ情報にアクセス可能に構成しても良い。更に、光ディスクが記録層を４層有する場合には、例えば記録層Ｌ０及びＬ２にリンク情報を含む一連のコンテンツ情報を記録し、記録層Ｌ１及びＬ３に、それぞれリンク先の情報を記録しても良い。
【００６７】
また、上記実施の形態に係る光ディスクにおいては、いずれも記録層Ｌ０のＰＩＣ領域にコンテンツ情報の各記録層における記録開始位置や終了位置を記録していたが、ＰＩＣ領域以外の領域にこれらデータを記録することも可能である。
【００６８】
更に、上記実施の形態に係る光ディスクにおいて、例えば光ディスクの中心から所定の距離以降の領域にデータが記録されていない場合には、このデータが記録されていない領域に絵柄の表示を行うことも可能である。絵柄の表示は、例えば図中のピット、グルーブ又はランドを利用したピットアートによって行うことも考えられるし、例えば上記データが記録されていない領域に印刷を行うことによって行うことも考えられる。これにより、光ディスクの付加価値を増加させることが可能となる。
【符号の説明】
【００６９】
１…光ディスク、１０…内周側領域、２０…データ領域、３０…外周側領域、Ｌ０〜Ｌ２…記録層。
【図１】
2015129912.tif 000003
【図２】
2015129912.tif 000004
【図３】
2015129912.tif 000005
【図４】
2015129912.tif 000006
【図５】
2015129912.tif 000007
【図６】
2015129912.tif 000008
【図７】
2015129912.tif 000009
【図８】
2015129912.tif 000010
【図９】
2015129912.tif 000011
【図１０】
2015129912.tif 000012
【図１１】
2015129912.tif 000013
【国際調査報告】
2015129912.tif 000014
2015129912.tif 000015
2015129912.tif 000016
2015129912.tif 000017